(57)【要約】【課題】エレベータの信号線に対する動力線の影響を回避しつつ、動力線および信号線の配線に要する平面的なスペースを縮小して機会室内のスペースの有効活用を可能にし、また機械室の小型化を可能とすることができるエレベータの機械室配線装置を提供する。【解決手段】  内部が金属製の仕切板３２により複数のダクト部３０ａ，３０ｂ，３０ｃ，３０ｄ，３０ｅに区画された配線ダクト３０を構成し、その各ダクト部３０ａ，３０ｂ，３０ｃ，３０ｄ，３０ｅ内にエレベータの動力線３５ａ，３６ａおよび信号線３７ｂ，３８ｂを機能別に分けて敷設する。【選択図】    図１
2006076735.tif 000002
【特許請求の範囲】
【請求項１】
エレベータ機械室において配線されるエレベータの動力線および信号線と、
内部が金属製の仕切板により複数のダクト部に区画され、その各ダクト部内に前記動力線および信号線が機能別に分けて敷設される配線ダクトと、
を具備することを特徴とするエレベータの機械室配線装置。
【請求項２】
エレベータ機械室において配線されるエレベータの動力線および信号線と、
エレベータ機械室に設置される制御盤の背面部分に設けられ、内部が金属製の仕切板により上下に並ぶ複数のダクト部に区画され、その各ダクト部内に前記動力線および信号線が機能別に分けて敷設される配線ダクトと、
を具備することを特徴とするエレベータの機械室配線装置。
【請求項３】
前記制御盤は、その背面部分の配線ダクトと併せて天井部分にも配線ダクトを備えることを特徴とする請求項２に記載のエレベータの機械室配線装置。
【請求項４】
エレベータ機械室において配線されるエレベータの動力線および信号線と、
エレベータ機械室に設置される制御盤の下部のプールボックスの内部を金属製の仕切板により前記動力線および信号線を機能別に分けて敷設するための複数のダクト部に区画してなる配線ダクトと、
を具備することを特徴とするエレベータの機械室配線装置。
【発明の詳細な説明】
【技術分野】
【０００１】
この発明は、エレベータの機械室において配線されるエレベータの動力線および信号線の配線構造を改良したエレベータの機械室配線装置に関する。
【背景技術】
【０００２】
図５にはエレベータの機械室における配線構造の平面視の一例の構成図を、図６には側面視の一例の構成図を示してあり、エレベータの機械室の床の上に、エレベータのかごを駆動する巻上機１が複数並列して設置されているとともに、これら巻上機１の並列方向に列をなして電源盤２、制御盤３、補助盤４が設置されている。
【０００３】
各盤２，３，４の正面側と背面側における機械室の床部には列盤正面配線ダクト５と列盤背面配線ダクト６が各盤２，３，４の配列方向に沿って延びるように設けられている。また、各盤２，３，４の天井部には、図６に示すように、サポート７を介して天井配線ダクト８が各盤２，３，４の配列方向に沿って延びるように設置されている。
【０００４】
列盤正面配線ダクト５の側縁からは、各巻上機１の両側に向かって延びるように配線ダクト１３，１４が延出形成されている。
【０００５】
また、列盤背面配線ダクト６内には電源盤２と各制御盤３とを接続する電力供給用の動力線２０ａが敷設されている。各制御盤３からは動力線２１ａと信号線２２ｂが導出され、動力線２１ａは配線ダクト５，１３内に敷設されて巻上機１に接続され、信号線２２ｂは配線ダクト５，１４内に敷設されて機械室の下方の昇降路内に導出され、その昇降路内の所定の機器に接続されている。また、天井配線ダクト８内には制御伝送用の信号線２３ｂが敷設されている。
【０００６】
信号線２２ｂ，２３ｂは、動力線２０ａ，２１ａからの電磁誘導やノイズの影響を回避するために、それぞれ別々の配線ダクト内に敷設し、また同じ配線ダクトに敷設する場合でも交差するのみで、平行に並ぶことがないようにする必要がある。
【０００７】
このため従来では、巻上機１のモータに電力を供給する動力線２１を配線ダクト１３内に敷設し、昇降路内の機器と制御盤３との間での信号の伝達を行なう信号線２２ｂを配線ダクト１４内に敷設し、制御盤３に電力を供給する動力線２０ａを配線ダクト６内に敷設し、制御伝送用の信号線２３ｂを天井配線ダクト８内に敷設するようにしている。そして、配線ダクト５内のように、動力線２１ａと信号線２２ｂとが混在する部分では、その動力線２１ａと信号線２２ｂとが長い区間で並列することがないようにしている。
【発明の開示】
【発明が解決しようとする課題】
【０００８】
上述のように、エレベータの機械室における配線には、信号線２２ｂ，２３ｂに対する動力線２０ａ，２１ａからの電磁誘導やノイズの影響を回避するために多くの配線ダクト５，６，８，１３，１４を必要としているが、従来では配線ダクト８を除く他の多くの配線ダクト５，６，１３，１４が機械室の床部に設けられており、このためその各配線ダクト５，６，１３，１４が機械室内で占めるスペースが大きくなり、機械室内のスペースを有効に活用する上での妨げとなり、また機械室を小型に構成することが困難になるという課題がある。
【０００９】
この発明はこのような点に着目してなされたもので、その目的とするところは、エレベータの信号線に対する動力線の影響を回避しつつ、動力線および信号線の配線に要する平面的なスペースを縮小して機会室内のスペースの有効活用を可能にし、また機械室の小型化を可能とすることができるエレベータの機械室配線装置を提供することにある。
【課題を解決するための手段】
【００１０】
請求項１の発明は、エレベータ機械室において配線されるエレベータの動力線および信号線と、内部が金属製の仕切板により複数のダクト部に区画され、その各ダクト部内に前記動力線および信号線が機能別に分けて敷設される配線ダクトとを具備することを特徴としている。
【００１１】
請求項２の発明は、エレベータ機械室において配線されるエレベータの動力線および信号線と、エレベータ機械室に設置される制御盤の背面部分に設けられ、内部が金属製の仕切板により上下に並ぶ複数のダクト部に区画され、その各ダクト部内に前記動力線および信号線が機能別に分けて敷設される配線ダクトとを具備することを特徴としている。
【００１２】
請求項３の発明は、前記制御盤が、その背面部分の配線ダクトと併せて天井部分にも配線ダクトを備えることを特徴としている。
【００１３】
請求項４の発明は、エレベータ機械室において配線されるエレベータの動力線および信号線と、エレベータ機械室に設置される制御盤の下部のプールボックスの内部を金属製の仕切板により前記動力線および信号線を機能別に分けて敷設するための複数のダクト部に区画してなる配線ダクトとを具備することを特徴としている。
【発明の効果】
【００１４】
この発明によれば、エレベータの信号線に対する動力線の影響を回避しつつ、動力線および信号線の配線に要する平面的なスペースを縮小して機会室内のスペースの有効活用を可能にし、また機械室の小型化を可能とすることができる。
【発明を実施するための最良の形態】
【００１５】
以下、この発明の実施の形態について図１ないし図４を参照して説明する。
【００１６】
図１には第１の実施形態を示してあり、この実施形態においては、制御盤等（図示せず）の正面側に配置された配線ダクト３０の内部が仕切板３１により上層と下層とに仕切られ、さらにその各層が仕切板３２により左右方向に仕切られ、これにより配線ダクト３０内が第１〜第５の複数のダクト部３０ａ，３０ｂ，３０ｃ，３０ｄ，３０ｅに区切られている。
【００１７】
そして、下層の左側の第１のダクト部３０ａ内には、制御盤から巻上機のモータに動力用の電力を供給するインバータモータ間線としての動力線３５ａが敷設され、下層の右側の第２のダクト部３０ｂ内には客先電源線（客先〜インバータ間線）としての動力線３６ａが敷設され、また上層の右側の第３のダクト部３０ｃ内には制御信号用のレベル信号線等の信号線３７ｂが敷設され、上層の中間の第４のダクト部３０ｄ内には制御伝送用のシリアル伝送線等の信号線３８ｂが敷設され、上層の左側の第５のダクト部３０ｅ内には小勢力電源線等のその他の電源線３９ａが敷設されている。
【００１８】
配線ダクト３０、各仕切板３１，３２はそれぞれ金属板で形成されている。各仕切板３１，３２は配線ダクト３０に対して脱着可能となっていて、前記動力線３５ａ，３６ａ，３９ａおよび信号線３７ｂ，３８ｂの敷設後であっても、仕切板３１，３２の脱着によりその配線形態を変更することが可能となっている。動力線の客先側用とモータ側用を列に仕切るのは、インバータノイズの畳重しているモータ線からの誘導ノイズの影響を客先側に与えるのを回避する為である。
【００１９】
このように、本実施形態では、配線ダクト３０内を上下左右の複数のダクト部３０ａ，３０ｂ，３０ｃ，３０ｄ，３０ｅに分割し、その各ダクト部３０ａ，３０ｂ，３０ｃ，３０ｄ，３０ｅ内に動力線３５ａ，３６ａ，３９ａおよび信号線３７ｂ，３８ｂを機能別に分けて敷設するようにしてあり、このため複数種の動力線３５ａ，３６ａ，３９ａおよび３７ｂ，３８ｂを集合して密に配線することができ、したがってその配線に要する平面スペースを縮小して機会室内のスペースを有効に活用することが可能となる。また、配線に要する平面スペースを縮小することができることから機械室を小型に構成することも可能となる。
【００２０】
そして、動力線３５ａ，３６ａ，３９ａおよび信号線３７ｂ，３８ｂは、金属板で囲まれたダクト部３０ａ，３０ｂ，３０ｃ，３０ｄ，３０ｅ内にその機能別に分けて敷設されており、このため信号線３７ｂ，３８ｂに対する動力線３５ａ，３６ａ，３９ａからの電磁誘導やノイズの影響を前記金属板で遮蔽して回避することができる。
【００２１】
なお、配線ダクト内を仕切板で仕切って複数のダクト部を構成する場合のほか、小さいダクト部をブロック状に組み合わせて配線ダクトとし、その各ダクト部内に動力線と信号線を機能別に分けて敷設するような構成を採用することも可能である。
【００２２】
図２には第２の実施形態を示してあり、この実施形態においては、制御盤３の背面と天井面とに配線ダクト４０，４１が設けられている。そして背面側の配線ダクト４０内は仕切板４２により上下に分離する複数の例えば第１、第２、第３の３つのダクト部４０ａ，４０ｂ，４０ｃに区画されている。配線ダクト４０，４１および仕切板４２はそれぞれ金属板で形成されている。
【００２３】
配線ダクト４０の第１および第２のダクト部４０ａ，４０ｂ内にはそれぞれ動力線４３ａ，４４ａが敷設され、第３のダクト部４０ｃ内には信号線４５ｂが敷設され、また制御盤３の天井部の配線ダクト４１内には信号線４６ｂが敷設されている。
【００２４】
制御盤３の背面の配線ダクト４０および天井部の配線ダクト４１は、共に制御盤３の横幅と同じ長さであり、複数の制御盤３がその横幅方向に配列する場合には、各制御盤３の配線ダクト４０，４１がその配列方向に延びるようにつながって一連のダクトとして構成される。本実施形態では、制御盤３の背面に配線ダクト４０が設けられているから、制御盤３に対する保守点検等の作業は制御盤３の正面側から行なう。
【００２５】
このように、本実施形態では、制御盤３の背面に配線ダクト４０を設け、この配線ダクト４０内を上下に分れる複数のダクト部４０ａ，４０ｂ，４０ｃに分割し、その各ダクト部４０ａ，４０ｂ，４０ｃ内に動力線４３ａ，４４ａおよび信号線４５ｂを機能別に分けて敷設しており、このため平面形状の小さい配線ダクト４０内に複数種の動力線４３ａ，４４ａおよび信号線４５ｂを集合して密に配線することができる。
【００２６】
そして配線ダクト４０の平面形状が小さいから、その配線ダクト４０が占める平面スペースを縮小して機会室内のスペースを有効に活用することが可能となる。また、配線ダクト４０の平面スペースを縮小することができることから機械室を小型に構成することも可能となる。特に、複数の制御盤３が一方向に配列し、その各配線ダクト４０がその配列方向に延びるようにつながって一連のダクトとして使用されるときに、より有効となる。
【００２７】
動力線４３ａ，４４ａおよび信号線４５ｂは、金属板で囲まれたダクト部４０ａ，４０ｂ，４０ｃ内にその機能別に分けて敷設されており、このため信号線４５ｂに対する動力線４３ａ，４４ａからの電磁誘導やノイズの影響を前記金属板で遮蔽して回避することができる。
【００２８】
なお、制御盤３の背面および天井に配線ダクトを設けずに、制御盤３の本体の内部に信号線や動力線を配線するための溝、仕切り、棚等を設けてその信号線や動力線を配線するように構成することも可能である。
【００２９】
図３および図４には第３の実施形態を示してあり、図３は制御盤３を側面から見た図で、図４は制御盤３を正面から見た図である。一般に制御盤３には、その下部に制御盤３への外線接続ケーブルの余長分を収めるためのプールボックス５０が設けられている。
【００３０】
本実施形態においては、制御盤３のプールボックス５０が配線ダクトとして利用されている。すなわち、プールボックス５０の内部に仕切板５１が設けられ、この仕切板５１によりプールボックス５０内が前後に仕切られ、さらにその前側の仕切り空間が仕切板５２により左右に仕切られ、これによりプールボックス５０内が仕切板５１の後側の第１のダクト部５０ａと、仕切板５１の前側で、仕切板５２の左側に位置する第２のダクト部５０ｂと、仕切板５１の前側で、仕切板５２の右側に位置する第３のダクト部５０ｃとに区画されている。プールボックス５０および各仕切板５１，５２はそれぞれ金属板で形成されている。
【００３１】
制御盤３はその横幅方向に配列するように複数設置され、その各制御盤３のダクト部５０ａ内にその制御盤３間に渡る動力線５３ａが敷設されている。第２のダクト部５０ｂ内には、巻上機（図示せず）と制御盤３との間に配線される動力線５４ａの立上り部が敷設され、第３のダクト部５０ｃ内には、制御盤３と昇降路内機器（図示せず）との間に配線される信号線５５ｂの立上り部が敷設されている。この信号線５５ｂは制御盤３内の信号外線接続部５７に接続されている。
【００３２】
制御盤３内の下部の用品が取り付けられている底部パネル６０は、プールボックス５０との間に十分な空間があくように嵩上げして制御盤３内に設けられ、プールボックス５０と底部パネル６０との間の空間内に外線接続ケーブの余長分が収められている。
【００３３】
このように本実施形態では、制御盤３の下部のプールボックス５０を配線ダクトとして利用しており、このため制御盤３の外周囲に張出す配線ダクトがなくなり、機械室にその配線ダクト用のスペースを確保する必要がなく、したがって機械室のスペースを有効に活用でき、また機械室を小型に構成することが可能となる。
【００３４】
動力線５３ａ，５４ａおよび信号線５５ｂは、金属板で囲まれたダクト部５０ａ，５０ｂ，５０ｃ内にその機能別に分けて敷設されており、このため信号線５５ｂに対する動力線５３ａ，５４ａからの電磁誘導やノイズの影響を前記金属板で遮蔽して回避することができる。
【００３５】
本実施形態では、プールボックス５０を配線ダクトとして利用しており、このため制御盤３の背面に配線ダクトがなく、したがって制御盤３をその背面を機械室の壁面に直付けして設置することが可能となる。
【００３６】
なお、機械室内に動力線や信号線を引き回す際に、例えば巻上機を支持するマシンビームを構成するＨ形鋼のくぼみ部を敷設経路として使用することで、さらに機械室の床部の配線スペースを削減することが可能となる。
【図面の簡単な説明】
【００３７】
【図１】この発明の第１の実施形態に係るエレベータの機械室配線装置を示す構成図。
【図２】この発明の第２の実施形態に係るエレベータの機械室配線装置を示す構成図。
【図３】この発明の第３の実施形態に係るエレベータの機械室配線装置を示す側面から見た構成図。
【図４】この発明の第３の実施形態に係るエレベータの機械室配線装置を示す正面から見た構成図。
【図５】従来のエレベータの機械室配線装置を示す平面の構成図。
【図６】従来のエレベータの機械室配線装置を示す側面の構成図。
【符号の説明】
【００３８】
３…制御盤
３０…配線ダクト
３０ａ〜３０ｅ…ダクト部
３１．３２…仕切板
３５ａ．３６ａ…動力線
３７ｂ．３８ｂ…信号線
４０．４１…配線ダクト
４０ａ〜４０ｃ…ダクト部
４２…仕切板
４３ａ．４４ａ…動力線
４５ｂ．４６ｂ…信号線
５０…プールボックス
５０ａ〜５０ｃ…ダクト部
５１．５２…仕切板
５３ａ．５４ａ…動力線
５５ｂ…信号線
６０…底部パネル
【図１】
2006076735.tif 000003
【図２】
2006076735.tif 000004
【図３】
2006076735.tif 000005
【図４】
2006076735.tif 000006
【図５】
2006076735.tif 000007
【図６】
2006076735.tif 000008